(57)【要約】【課題】  浸水による故障を生じにくく長寿命のＲＦチップを有する容器の蓋と、そのような蓋を備える容器を提供する。【解決手段】  液体状の商品がガラス製の容器１に収容されている。合成樹脂製の蓋２は、容器１とは別体に構成され、円筒状の周壁部２１の雌ねじ部２１ａが容器１の開口部１１の雄ねじ部１１ａに螺合し、扁平円板状の天井壁部２２が開口部１１を覆うことにより、容器１内の商品の出入りを閉鎖する。蓋２の天井壁部２２の内面に沿って、耐水性を有する蓋装着用ラミネート材３１で無線通信用薄片７を覆った円形状の取付パッド３が装着されている。無線通信用薄片７は、可撓性を有しかつ薄片状をなし、容器１及びその容器１内の商品の識別情報であるＩＤをそれぞれ記憶するとともに、無線式読取り装置によってそのＩＤが読み取り可能とされている。【選択図】    図１
2006240673.tif 000002
【特許請求の範囲】
【請求項１】
被収容物を収容する容器の開口部又は肩部に直接又は他部材を介して間接的に係合する係合部と、前記容器の開口部を外側から覆う被覆部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置する形態で、前記被覆部又は係合部の内面に装着されていることを特徴とする容器の蓋。
【請求項２】
前記取付部材を構成する蓋装着用ラミネート材は、厚み方向の片面側に形成された凹部に前記無線通信用薄片が厚み方向で面一状態となるように収納される形態で、その無線通信用薄片と重ね合わせられるとともに、前記取付部材の装着状態にて前記凹部の形成面が前記被覆部又は係合部の内面に固着され、
前記無線通信用薄片は、前記被覆部又は係合部の内面と前記蓋装着用ラミネート材の凹部形成面とによって形成された内部空間に密封されている請求項１に記載の容器の蓋。
【請求項３】
液体、気体、固液混合体等の流体を被収容物として収容する容器の開口部又は肩部に直接又は他部材を介して間接的に基端側が係合する筒状の係合部である周壁部と、その周壁部の先端側を閉じて前記容器の開口部を外側から覆う被覆部である天井壁部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面が耐水性を有する蓋装着用ラミネート材で覆われて取付部材を構成し、その取付部材は、前記天井壁部の内面又は前記周壁部の内周面に装着されていることを特徴とする容器の蓋。
【請求項４】
前記取付部材は、前記無線通信用薄片が前記被収容物の液面から上方へ５ｍｍ以上離間する形で、前記天井壁部の内面又は前記周壁部の内周面に装着されている請求項３に記載の容器の蓋。
【請求項５】
前記取付部材を構成する蓋装着用ラミネート材は、前記無線通信用薄片よりも大きな表面積を有する形態で、その無線通信用薄片の厚さ方向の両面側から積層状に重ねられるとともに、その一対の蓋装着用ラミネート材の内面同士がその無線通信用薄片の周囲で接合・一体化され、
前記無線通信用薄片は、外側を取り巻く前記一対の蓋装着用ラミネート材によって形成された内部空間に密封されている請求項３又は４に記載の容器の蓋。
【請求項６】
前記係合部と被覆部とは、筒状の前記係合部の先端側に前記被覆部が連続的に縮径する形態で一体成形されることによって半球型ドーム状の閉鎖部に形成され、
前記取付部材は、その半球型ドーム状の閉鎖部の内面に装着されている請求項１ないし５のいずれか１項に記載の容器の蓋。
【請求項７】
前記取付部材には、装着状態で前記容器内の被収容物に対向する表面上に、撥水性を有する保護層が形成されている請求項１ないし６のいずれか１項に記載の容器の蓋。
【請求項８】
前記無線通信用薄片は、前記取付部材の内部空間に、可撓性、耐水性及び電気的な絶縁性を備えたシートに包まれる等して覆われた状態で挟持されるとともに、その挟持状態において前記シートの内部で前記無線通信用薄片が該シートに対して変位可能に保持されている請求項２又は５に記載の容器の蓋。
【請求項９】
前記取付部材には、前記無線通信用薄片が記憶しているＩＤと対応付けた数字・文字・記号・符号又はそれらの組合せ等のリンクＩＤを表したリンクＩＤ表示部が形成されている請求項１ないし８のいずれか１項に記載の容器の蓋。
【請求項１０】
前記取付部材のリンクＩＤ表示部に表示されたリンクＩＤは、前記容器に直接又は他部材により間接的に形成された副リンクＩＤ表示部にバーコード表示等された副リンクＩＤと関連付けて表わされ、
前記無線通信用薄片に記憶されたＩＤが消失し、かつ前記副リンクＩＤ表示部の副リンクＩＤが読み取り不能となっても、リンクＩＤ表示部に表示されたリンクＩＤを視認可能とされている請求項９に記載の容器の蓋。
【請求項１１】
請求項１ないし１０のいずれか１項に記載の蓋が、前記容器の開口部又は肩部に直接又は他部材を介して間接的に係合しかつその容器の開口部を外側から覆うことによって前記被収容物の出入りを閉鎖するために、前記容器とは別体に、又はその容器と一体的に備えられていることを特徴とする蓋付き容器。
【発明の詳細な説明】
【技術分野】
【０００１】
この発明は各種の被収容物、特に、化粧品・薬品・食品・飲料水に代表されるような液体、気体、固液混合体等の流体を収容する容器の開口部に係合して閉鎖する蓋、及びそのような蓋を備える容器に関する。
【背景技術】
【０００２】
従来、内部を真空状態とした容器において、蓋の裏側端面（天井部内面）とライニングパッキンとの間に、薄膜電池、偽造防止用の小型無線周波信号発生器（ＲＦチップ、いわゆるデータキャリア）、音声チップ等を設置することが知られている。そして、ＲＦチップには容器内の商品に固有の識別データ（ＩＤ）を記憶させておき、読み取り器から発信された電波によりＲＦチップを起動させて、その識別データ（商品コード、製品番号）を電波によりＩＤ読み取り器側へ発信させるようにしたものである（特許文献１参照）。
【０００３】
【特許文献１】実用新案登録第３０８９８４３号公報
【０００４】
特許文献１によれば、容器の蓋を開けたときに予め音声チップに録音された商品紹介等を再生開始できるとともに、ＲＦチップにより品質管理、偽造防止等が行なえる。しかしながら、特許文献１のＲＦチップは、剥き出し状態のＩＣチップやアンテナが蓋の天井部内面とライニングパッキンとの空間に設置されているだけなので、容器の内容物（被収容物）の影響を受けやすい。特に、化粧品・薬品・食品・飲料水に代表されるような液体、気体、固液混合体等の流体を被収容物として収容する容器の場合、蓋を開けた瞬間に流体自身あるいはその流体から発生した蒸気が上記空間に浸入して、浸水による故障を生じやすい。また、このような浸水によるＲＦチップの故障は、蓋を開けなくても、容器の保管中、店頭展示中を含め常時発生するおそれがある。さらに、例えばＲＦチップを備えた蓋を再使用（リユース）するような場合には、被収容物の種別にかかわらず、洗浄液あるいはその洗浄液から発生した蒸気が上記空間に浸入して、浸水による故障を生じるおそれがある。
【発明の開示】
【発明が解決しようとする課題】
【０００５】
本発明の課題は、浸水による故障を生じにくく長寿命のＲＦチップを有する容器の蓋と、そのような蓋を備える容器を提供することにある。
【課題を解決するため手段及び発明の効果】
【０００６】
上記課題を解決するために、本発明に係る容器の蓋は、
被収容物を収容する容器の開口部又は肩部に直接又は他部材を介して間接的に係合する係合部と、前記容器の開口部を外側から覆う被覆部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置する形態で、前記被覆部又は係合部の内面に装着されていることを特徴とする。
【０００７】
このような蓋は、無線通信用薄片の厚み方向の両面又は片面が耐水性の蓋装着用ラミネート材（蓋装着用基材）で覆われているため、無線通信用薄片（薄片状無線認識チップ；ＲＦチップ）を備えた蓋を再使用（リユース）するために集めて洗浄する場合でも、洗浄液あるいはその洗浄液から発生した蒸気が無線通信用薄片に到達しない。したがって、容器の内容物（被収容物）の種別（気体・液体・固体）にかかわらず、無線通信用薄片は浸水による故障を生じにくく、無線通信用薄片ひいては取付部材や蓋の長寿命化を図ることができる。また、これまで熱転写等によって容器に表示しなければならなかった容器自身のロット番号等を無線通信用薄片にＩＤデータとして記憶しておけるので、容器への表示を省略することができる。
【０００８】
なお、耐水性の蓋装着用ラミネート材として、コート紙、合成紙、合成樹脂材、発泡材、エラストマー、高分子ゲル等を用いることができる。そして、合成樹脂材やエラストマーを用いる場合、無線通信用薄片をキャビティ内に配置して射出成形する、一種のインサート成形によって製造してもよい。また、取付部材を被覆部（一般的には天井壁部）又は係合部（一般的には周壁部）の内面に装着する方法として、レール状の凸部やリブでの挟み込み、凹部への埋め込みや嵌め込み、接着剤等による接着、ファスナ止め等を用いることができ、これらを併用してもよい。さらに、無線通信用薄片として、アンテナがＩＣチップに外付けされたアンテナ外付け型、アンテナがＩＣチップに内蔵されたアンテナ内蔵型のいずれを用いてもよい。
【０００９】
ところで、これらの無線通信用薄片は、通常、ＩＣチップ及びアンテナ（又はアンテナ内蔵ＩＣチップ）が薄い樹脂フィルムでラミネートされているが、きわめて多用途に用いられるため（すなわち汎用性を持たせて製造コストを下げるため）、それ自身では一般に耐水性に劣る。また、後述する電気的な絶縁性、耐熱性、耐薬品性（耐腐食性）、撥水性等においても十分とは言いがたい。
【００１０】
例えば、無線通信用薄片の片面が耐水性の蓋装着用ラミネート材で覆われる場合、取付部材を構成する蓋装着用ラミネート材は、厚み方向の片面側に形成された凹部に無線通信用薄片が厚み方向で面一状態となるように収納される形態で、その無線通信用薄片と重ね合わせられる。そして、取付部材の装着状態にて凹部の形成面が被覆部又は係合部の内面に固着され、無線通信用薄片は、被覆部又は係合部の内面と蓋装着用ラミネート材の凹部形成面とによって形成された内部空間に密封されていることが望ましい。無線通信用薄片は、蓋装着用ラミネート材に面一状態で収納されることによって上記内部空間に密封され、浸水による故障が一層生じにくくなる。ここでは、「面一状態」とは、蓋装着用ラミネート材の凹部に収納された無線通信用薄片の表面と、蓋装着用ラミネート材の凹部形成面とが、厚み方向において相対的に突出したり窪みを生じたりせずに一つの平面状に構成されていることを意味する。なお、無線通信用薄片を内部空間に密封するために、蓋装着用ラミネート材の凹部形成面と被覆部（天井壁部）又は係合部（周壁部）の内面との、熱圧着、溶着、接着剤等による接着等の接合手段を用いることができる。
【００１１】
また、上記課題を解決するために、本発明に係る容器の蓋は、
液体、気体、固液混合体等の流体を被収容物として収容する容器の開口部又は肩部に直接又は他部材を介して間接的に基端側が係合する筒状の係合部である周壁部と、その周壁部の先端側を閉じて前記容器の開口部を外側から覆う被覆部である天井壁部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面が耐水性を有する蓋装着用ラミネート材で覆われて取付部材を構成し、その取付部材は、前記天井壁部の内面又は前記周壁部の内周面に装着されていることを特徴とする。
【００１２】
このような蓋では、液体、気体、固液混合体等の流体が被収容物として容器に収容され、かつ無線通信用薄片が天井壁部の内面又は周壁部の内周面に装着されているため、無線通信用薄片は流体（被収容物）やその蒸気に常時直接的に曝され、浸水による故障を生じやすくなる。無線通信用薄片の厚み方向の両面が耐水性の蓋装着用ラミネート材（蓋装着用基材）で覆われることによって、このような浸水による無線通信用薄片の故障を防止でき、取付部材や蓋の長寿命化が顕著となる。
【００１３】
なお、耐水性の蓋装着用ラミネート材や無線通信用薄片には、上記と同様のものを用いることができ、取付部材を天井壁部の内面又は周壁部の内周面に装着する方法にも、上記と同様の方法を用いることができる。また、このような蓋は、主として化粧品・薬品・食品・飲料水等の流体を被収容物（商品）として収容する容器の開口部を閉鎖するために用いられる。したがって、ここでの「流体」には液体、気体の他に、スラリー状、ペースト状、クリーム状、ゼリー状等の種々の性状の固液混合体や、ゾル又はゲル状の気体混合懸濁液等が含まれる。
【００１４】
ところで、このような流体を収容する容器の蓋では、無線通信用薄片が被収容物の液面から上方へ５ｍｍ以上（望ましくは１０ｍｍ以上）離間する形で、取付部材を天井壁部の内面又は周壁部の内周面に装着することが好ましい。これによって、例えば、１３．５６ＭＨｚ等の電波を用いる電磁誘導方式、２．４５ＧＨｚ，５．８ＧＨｚ，９５０〜９５６ＭＨｚ（ＵＨＦ帯）等の電波を用いる電波方式を問わず、液面反射電波による読取不良ないし読取不能を回避しやすくなる。また、振動等によって液面が変動しても、無線通信用薄片が水を被りにくいため、故障の発生を防止できる。なお、容器が金属製であっても、蓋が合成樹脂等の高分子材料製又はガラス製であれば、無線式読取り装置によるＩＤの読み取りが可能である。
【００１５】
例えば、無線通信用薄片の両面が耐水性の蓋装着用ラミネート材で覆われる場合、取付部材を構成する蓋装着用ラミネート材は、無線通信用薄片よりも大きな表面積を有する形態で、その無線通信用薄片の厚さ方向の両面側から積層状に重ねられる。そして、その一対の蓋装着用ラミネート材の内面同士がその無線通信用薄片の周囲で接合・一体化され、無線通信用薄片は、外側を取り巻く一対の蓋装着用ラミネート材によって形成された内部空間に密封されていることが望ましい。無線通信用薄片は、取付部材（一対の蓋装着用ラミネート材）の内部空間に密封されることによって、浸水による故障が一層生じにくくなる。なお、無線通信用薄片を内部空間に密封するために、一対の蓋装着用ラミネート材対向面（内面）の熱圧着、溶着、接着剤等による接着等の接合手段を用いることができる。
【００１６】
一方、これらの容器の蓋において、係合部（周壁部）と被覆部（天井壁部）とを、筒状の係合部の先端側に被覆部が連続的に縮径する形態で一体成形することによって半球型ドーム状の閉鎖部に形成し、取付部材をその半球型ドーム状の閉鎖部の内面に装着してもよい。このように、容器の蓋を係合部と被覆部とが一体成形された半球型ドーム状の閉鎖部で構成する場合には、取付部材は半球型ドーム状の閉鎖部の内面において所定の位置に装着できるので、取付部材の形状や取付位置の自由度が大きくなる。
【００１７】
さらに、取付部材には、装着状態で容器内の被収容物に対向する表面上に、撥水性を有する保護層を形成すると、無線通信用薄片はさらに浸水による故障を生じにくくなる。なお、保護層として、不飽和ポリエステル樹脂（ＦＲＰ）、ポリエチレン（ＰＥ）、ポリプロピレン（ＰＰ）、ポリアミド（ＰＡ；通称名ナイロン）、ポリスチレン（ＰＳ）、ポリ塩化ビニリデン（ＰＶＤＣ）等の熱可塑性樹脂のシート状部材を用いることができる。
【００１８】
ところで、これらの無線通信用薄片は、取付部材の内部空間に、可撓性、耐水性及び電気的な絶縁性を備えたシートに包まれる等して覆われた状態で挟持されるとともに、その挟持状態においてシートの内部で無線通信用薄片をシートに対して変位可能に保持することができる。取付部材の熱膨張と無線通信用薄片（例えば極薄チップ及びアンテナが樹脂フィルム等でラミネートされたもの）の熱膨張とに相当の差があると、その挟持される薄片（例えばアンテナ）に引張り、ねじり等の力が作用して、断線等で破壊される可能性もある。しかし、無線通信用薄片がシートでくるまれる等して覆われ、そのシート内で薄片が変位可能とされることにより、上記熱膨張差があってもそれらの力が吸収され、挟持工程時や蓋への装着工程時に無線通信用薄片が破損しにくくなる。また、上記取付部材（蓋装着用ラミネート材）が静電気を帯びる等により、無線通信用薄片の回路部が取付部材を介してアース（接地）される可能性があり、そうすると無線通信用薄片によりＩＤを自動認識する機能が充分に発揮されにくい状況（読取不良）も生じうる。しかし、無線通信用薄片が絶縁性のシートでくるまれて（覆われて）いるので、そうした接地が生じにくくなる。さらに、無線通信用薄片は耐水性を備えたシートに包まれているので、上記と同様に浸水による故障を生じにくい。
【００１９】
なお、可撓性、耐水性及び電気的な絶縁性を備えたシートとして、シリコーンゴム、フッ素樹脂（フッ化エチレン樹脂；デュポン社商標「テフロン」）等を用いることができる。また、シリコーンゴムやフッ素樹脂は、耐熱性、耐薬品性(耐腐食性)、撥水性等にも優れているので、シートや蓋装着用ラミネート材を熱圧着する際には無線通信用薄片へその熱を伝えにくく、取付部材を蓋に装着した後には被収容物（商品）である流体等から無線通信用薄片を保護することができる。したがって、無線通信用薄片を利用したＩＤの記憶・読み取り・書き込みが長期にわたり安定して行なえる。
【００２０】
取付部材には、無線通信用薄片が記憶しているＩＤと対応付けた数字・文字・記号・符号又はそれらの組合せ等のリンクＩＤを表したリンクＩＤ表示部が形成されているようにすることができる。例えばリンクＩＤ表示部は、容器の内側に位置する蓋装着用ラミネート材（取付部材）の被収容物に対向する表面上に、無線通信用薄片に記憶されたＩＤと対応付けて決定された数字・文字・記号・符号又はそれらの組合せ等の視認可能なリンクＩＤが表示されたものとすることができる。なお、記号と数字（又は文字）との組合せに係るリンクＩＤの具体例として、無線通信用薄片に記憶されたＩＤに対応付けて表示されたバーコードと、そのバーコードに対応する数字（又はアルファベット）とを併記する場合がある。
【００２１】
取付部材内に配設した無線通信用薄片が何らかの理由で、そこに記憶しているＩＤを無線式読取り装置側に電波発信する機能を果たせなくなった場合（破損や寿命等による機能不能）、その取付部材（無線通信用薄片）がいかなるＩＤを有していたのかを認識することは実質上不可能か、可能であるとしても、機能不能になった無線通信用薄片のＩＤを何らかの手段により読み出すことはきわめて困難を伴う。そこで、無線通信用薄片に記憶されたＩＤと予め対応付けられたリンクＩＤを表示するリンクＩＤ表示部が、取付部材にその薄片における記憶とは別個に形成されていれば、仮に無線通信用薄片が壊れても、取付部材のリンクＩＤ表示部を見れば、そのリンクＩＤから、無線通信用薄片に記憶された本来のＩＤが判明する。よって、無線通信用薄片が壊れた場合でも、その取付部材のリンクＩＤから容器や内容物（被収容物）の特定が容易にできる。また、例えば蓋を再使用（リユース）したり破損交換したりする際に、その無線通信用薄片を取り替える場合でも、データベース化により取り替え対象の旧ＩＤからどんなＩＤに置き換えられたか（同じにすることも新規に付与し直すことも可能）を簡単に履歴に残すことができ、管理履歴が空白なく維持される。
【００２２】
取付部材のリンクＩＤ表示部に表示されたリンクＩＤは、容器に直接又は他部材により間接的に形成された副リンクＩＤ表示部にバーコード表示等された副リンクＩＤと関連付けて表わされ、無線通信用薄片に記憶されたＩＤが消失し、かつ副リンクＩＤ表示部の副リンクＩＤが読み取り不能となっても、リンクＩＤ表示部に表示されたリンクＩＤを視認可能とされている。このように、無線通信用薄片に記憶されたＩＤと容器に表示された副リンクＩＤとがともにデータ読み取り不能となった非常事態でも、取付部材のリンクＩＤを目視すれば無線通信用薄片に記憶された本来のＩＤが判明するので、ＩＤに対するセキュリティ機能が向上する。このように、ＩＤデータが二重、三重に確保されているので、被収容物（商品）や容器に関するいずれかのＩＤを無断書き換えしたり無断消去したりするような不正行為が行なわれても、データの復元・再設定等の情報管理が容易に行なえる。
【００２３】
次に、上記課題を解決するために、本発明に係る蓋付き容器は、
上記した蓋が、容器の開口部又は肩部に直接又は他部材を介して間接的に係合しかつその容器の開口部を外側から覆うことによって被収容物の出入りを閉鎖するために、容器とは別体に、又はその容器と一体的に備えられていることを特徴とする。
【００２４】
このように、無線通信用薄片が浸水による故障を生じにくくなり、無線通信用薄片（取付部材）や蓋の寿命が延びることにより、ひいては蓋付き容器全体の長寿命化を図ることができるようになる。
【発明を実施するための最良の形態】
【００２５】
（実施例１）
以下、この発明の実施の形態を図面に示す実施例を参照しつつ説明する。図１は本発明に係る蓋付き容器の一例を示し、化粧品・薬品・食品・飲料水のような液体状の商品（被収容物；内容物）がガラス製の容器１に収容されている。一方、合成樹脂製（例えばポリプロピレン製）の蓋２は、容器１とは別体に構成され、内周面に形成された雌ねじ部２１ａが容器１の開口部１１の外周面に形成された雄ねじ部１１ａと螺合（係合）して係合・保持される円筒状の周壁部２１（係合部）と、周壁部２１の先端側を閉じて容器１の開口部１１を外側から覆う扁平円板状の天井壁部２２（被覆部）とが一体的に形成されている。つまり、蓋２は、周壁部２１の雌ねじ部２１ａが容器１の開口部１１の雄ねじ部１１ａに螺合し、天井壁部２２が開口部１１を覆うことにより、容器１内の商品の出入りを閉鎖する。
【００２６】
そして、蓋２の天井壁部２２の内面（下面）に沿って、耐水性を有する材料製（例えば合成紙製）の蓋装着用ラミネート材３１（蓋装着用基材；以下単にラミネート材という）で無線通信用薄片７を覆った円形状の取付パッド３（取付部材）が装着されている（図１６参照）。この無線通信用薄片７は、可撓性を有しかつ薄片状をなし、容器１及びその容器１内の商品（内容物）の識別情報であるＩＤをそれぞれ記憶するとともに、無線式読取り装置２０（図１２参照）によってそのＩＤが読み取り可能とされている。具体的には、取付パッド３は、その下面（又は内側に保持された無線通信用薄片７の下面）と液面との距離Ｈが上方へ５ｍｍ以上（例えば１０ｍｍ）離れるようにして、天井壁部２２の内面に接着（装着）されている。
【００２７】
図２は蓋２に装着される取付パッド３の組立図、図３は組み立て後の取付パッド３の斜視図、図４はそのＡ−Ａ断面図である。これらの図に示すように、取付パッド３を構成する円形状のラミネート材３１は、その中央部に配置される無線通信用薄片７よりも大きな表面積を有し（図１６参照）、無線通信用薄片７の厚み方向の両面側から（表裏両側から）積層状に重ねられる。さらに、一方のラミネート材３１の表面側に、撥水性を有する熱可塑性合成樹脂製（例えばポリエチレン製）の保護層３２が重ねられる。そして、これらの無線通信用薄片７、ラミネート材３１，３１、保護層３２を挟んで熱圧着することによって、弾力性（可撓性）と耐水性とを有する取付パッド３が得られる。すなわち、一対のラミネート材３１，３１の内面同士が無線通信用薄片７の周囲で熱圧着により接合・一体化されている。それによって、無線通信用薄片７は、外側を取り巻く一対のラミネート材３１，３１によって形成された内部空間に密封されている。なお、ラミネート材３１は、熱圧着を行なうための耐熱性と、食品、薬品等の安全衛生上から防かび性を有していることが望ましい。
【００２８】
そこで、取付パッド３は、図１に示すように、保護層３２が容器１内の商品に対向するように下向き配置され、保護層３２とは反対側のラミネート材３１が蓋２の天井壁部２２の内面（下面）側に位置するように装着される。具体的には、取付パッド３の周縁部が、周壁部２１に形成された雌ねじ部２１ａのねじ山で保持されて固定される。さらに、取付パッド３は、保護層３２とは反対側のラミネート材３１の表面に形成される接着剤層３３（図４参照）によって蓋２の天井壁部２２の内面に接着・固定される。このように、取付パッド３が耐水性を有するラミネート材３１や撥水性を有する保護層３２で構成されているため、容器１（商品）の保管中、店頭展示中等において薄片７を浸水から保護することができる。また、取付パッド３は蓋２の天井壁部２２の内面に装着されるため、取付パッド３及び無線通信用薄片７を小型化できる。保護層３２は、図２に示すようにラミネート材３１よりもやや大径のものが用いられ、その周縁部は図４に示すようにラミネート材３１の外周面を覆うように曲げられて取付パッド３の耐水性を高めている。
【００２９】
無線通信用薄片７は、小型で薄型の無線自動認識ＩＣチップであり、図５に平面視を示すように、可撓性を有する小さい極薄の短冊状の薄片である。つまり、細長い長手状（長方形状）のもので、例えばそのサイズは、長さが２０〜４０mm、幅が２〜７mm、厚さが０．２〜０．７mm程度である。
【００３０】
図５の無線通信用薄片７は、超小型のＩＣチップ８と、これにつながる送受信用のアンテナ９とを備え、これが樹脂フィルム１０でラミネートされたアンテナ外付け型を例示している。
【００３１】
以上の無線通信用薄片７は、両ラミネート材３１，３１の加熱圧着の工程時に、そのままの状態で一対のラミネート材３１，３１の重ね合わせ部（内部空間）に挟み込んで挟持されるようにしてもよいが、好ましくは、その無線通信用薄片７の全部又は一部を所定のシートで覆った状態で、上記重ね合わせ部（内部空間）に挟持させることができる。
【００３２】
例えば図６に例示するように、無線通信用薄片７は可撓性を有する合成樹脂製（例えばフッ素樹脂製）のシート２５により包まれる。この例ではシート２５は、無線通信用薄片７の長さ以上（好ましくはそれより長い）の寸法を有し、かつその薄片７の表裏を覆いうる面積（大きさ）を備え、この例では無線通信用薄片７の両端は開放された状態で、シート２５が薄片７の一方の側縁で折り畳まれ、かつ他方の側縁でも折り返されて、その終縁２８が再びシート２５の一方の側縁にまで達している。この無線通信用薄片７がシート２５でくるまれたものを、ＩＤ自動認識のための無線通信用複合薄片ということができる。
【００３３】
このように薄片７がシート２５で覆われるわけであるが、シート２５と薄片７とは接着状態ではなく、薄片７はシート２５に対し、非接合・非一体的であって、薄片７はそのシート２５に包まれた状態で、そのシート２５内において変位可能、つまり自身の熱膨張が生じた際にシート２５に対して伸縮自在である。したがって、アンテナ９には熱膨張による引張り、ねじり等の力が作用せず、断線等が発生しにくい。シート２５はそのような薄片７の熱膨張、具体的には取付パッド３の熱接合時においてその間に狭持される薄片７が受ける熱による熱膨張を吸収してアンテナ９の損傷・断線等の破壊を防ぐ役割を果たすのみならず、容器１（商品）の保管中、店頭展示中等において薄片７を浸水から保護する耐水性付与シートの役割も果たす。
【００３４】
また、上記取付パッド３（特にラミネート材３１）が静電気を帯びる等により、無線通信用薄片７の回路部が取付パッド３を介してアース（接地）される可能性があり、そうすると無線通信用薄片７によりＩＤを自動認識する機能が充分に発揮されにくい状況（読取不良）も生じうる。しかし、無線通信用薄片７が絶縁性のシート２５でくるまれて（覆われて）いるので、そうした接地が生じにくくなる。
【００３５】
上記の通り、薄片７を覆うシート２５はその素材（例えばフッ素樹脂）自体が、上述の薄片７との低摩擦性、耐水性及び絶縁性を有するものでもよいが、簡便な構成として、例えばシート２５の基材を紙またはこれに類する若しくは準ずるものとし、その基材の片面又は両面に、上記低摩擦性、耐水性及び絶縁性を高める材料、例えば樹脂等コーティングを施すことができる。図６に示す例では、紙等を基材とするシート２５の両面に例えば所定の樹脂、例えばシリコン樹脂又はエポキシ樹脂等をコーティングした樹脂コーティング層２６及び２７が形成され、このシリコン樹脂等のコーティング層により、上述の低摩擦性（滑り易さ）、耐水性及び絶縁性のいずれもが高められることとなる。
【００３６】
なお、シート２５として、上記３つの機能をすべて保有していなくても、その低摩擦性、耐水性及び絶縁性のいずれか１種又は２種以上の組合せの機能を保有するシート２５で薄片７を包んだ場合でも、その発揮しうる機能に応じて上述の一定の効果が奏される。また、フッ素樹脂は、耐熱性、耐薬品性(耐腐食性)、撥水性等にも優れているので、シート２５やラミネート材３１を熱圧着する際には無線通信用薄片７へその熱を伝えにくく、取付パッド３を蓋２に装着した後には被収容物（商品）である流体等から無線通信用薄片７を保護することができる。したがって、無線通信用薄片７を利用したＩＤの記憶・読み取り・書き込みが長期にわたり安定して行なえる。
【００３７】
また、図７に示す変形例では、図６と同様にシート２５で薄片７を包んだ後、さらにシート２５の終縁２８におけるシート両端部を封止部２５ａで封止してある。
【００３８】
図８の無線通信用薄片７は、超小型のＩＣチップ８内に送受信用のアンテナ９が内蔵され、これが樹脂フィルム１０でラミネートされたアンテナ内蔵型を例示している。このようなアンテナ内蔵型の無線通信用薄片７の場合、図９に示すように、両端が開口した筒状のシート３５に薄片７を収容したり（その開口した両端を封止することもできる）、図１０に示すように、一端が開口した袋状のシート３６に薄片７を収容したり、あるいは図１１に示すように、一端が開口した袋状のシート３６に薄片７を収容した後、その開口を封止部３７によって封止することもできる。さらに、薄片７の耐水性や絶縁性を向上させる観点からは、薄片７を所定の熱収縮フィルムによりほぼ密着状態で被覆したり、薄片７を所定の樹脂槽に浸漬してその薄片７の全体を樹脂等の被膜で覆うことも可能である。
【００３９】
図１に戻り、取付パッド３には、装着状態で容器１内の商品に対向する表面上に、言い換えれば保護層３２の表面上に、薄片７が記憶しているＩＤに対応付けて決定されたリンクＩＤ４１の表示部４０（リンクＩＤ表示部）が形成されている。例えば、概念的には図１２に示すように、薄片（チップ）７に電子的に記憶されている電子データとしてのＩＤに予め対応付けた（関連付けた）、数字を始めとする文字、記号・符号又はそれらの組合せからなるリンクＩＤ４１が、例えば肉眼で視認可能に表示部４０に表示されている。
【００４０】
その表示部４０の形態は、例えばそのリンクＩＤ４１が表示された表示片４２が、保護層３２の表面に接着剤又は熱溶着若しくはそれらの併用等によって貼り付けられて一体化されたり、あるいは保護層３２の表面に直接的に印刷、刻印、焼き付けその他の表示手法により表示されてもよい（図３，図４参照）。そして、この表示部４０に表示されたリンクＩＤ４１は、薄片７に記憶されているＩＤと関連付けられたものであるが、この関連付けは、記憶されたＩＤとリンクＩＤが同じ場合も含む。
【００４１】
図１に示すように、容器１の外面には、薄片７が記憶しているＩＤ及び表示部４０に表示されたリンクＩＤ４１に対応付けてバーコード表示等された副リンクＩＤ５１の副表示部５０（副リンクＩＤ表示部）が形成されている。例えば、概念的には図１２に示すように、薄片（チップ）７に電子的に記憶されている電子データとしてのＩＤに予め対応付けた（関連付けた）バーコード等からなる副リンクＩＤ５１が、例えばバーコードリーダ等によって読み取り可能に副表示部５０に表示されている。
【００４２】
その副表示部５０の形態は、例えばその副リンクＩＤ５１が表示されたシール印刷ラベル５２（表示片）が、容器１の外面に接着剤又は熱溶着若しくはそれらの併用等によって貼り付けられて一体化されている。あるいは、副表示部５０は、容器１の外面に直接的に印刷、刻印、焼き付けその他の表示手法により表示されていてもよい。そして、この副表示部５０に表示された副リンクＩＤ５１は、薄片７に記憶されているＩＤ及び表示部４０に表示されたリンクＩＤ４１と関連付けられたものであるが、この関連付けは、記憶されたＩＤとリンクＩＤと副リンクＩＤが同じ場合も含む。
【００４３】
このように、リンクＩＤ４１の表示部４０が、本来のＩＤを記憶している薄片７及び副表示部５０に表示された副リンクＩＤ５１と別個に設けられることにより、仮に薄片７が機能不能や機能不全に陥り、かつ副リンクＩＤ５１が読み取り不能に陥った場合でも、そのリンクＩＤ４１を見れば、薄片７に記憶されていたＩＤが特定でき、結果として容器１内の商品（ＩＤの自動認識ができなくなったもの）を識別できることとなるから、薄片７が万一壊れた場合でもそれが保障され、安心である。このようなデータ管理（データベース）の一例を図２７，図２８に示す。
【００４４】
図１２は、このような無線通信用薄片７を用いたデータ処理システムの一例を示し、図１３はその回路構成を概念的に示すブロック図である。既に説明した通り、無線通信用薄片７はチップ（ＩＣ）８とアンテナ９を主要な構成部とし、図１３に示すように、チップ８は発電回路１５、発信回路１６及び記憶手段としてのメモリ１７を備え、これらが電気的に接続されている。メモリ１７は例えばＲＯＭで構成され、そこに特定の識別データ（ＩＤ）が書き込まれて記憶されており、このＩＤは個々の容器１内の商品に対して互いに異なるものとされ、このＩＤが後述する無線式の読み取り装置２０（ＩＤ認識装置）により自動認識されて、各容器１内の商品が識別できることとなる。
【００４５】
具体的には、データキャリア方式に従い、図１３において読み取り装置（認識装置）２０の送受信部２３から特定の周波数の電磁波（電波、マイクロ波）が、蓋２に装着された無線通信用薄片７に向けて発信されると、そのアンテナ９と受信回路１４とを介してチップ８でその電波が受信され、それに基づき発電回路１５が起動して所定の発電がなされ、これを電源として発信回路１６が作動する。発信回路１６はメモリ１７に記憶されているそのチップ８（容器１内の商品）に固有のＩＤを読み出し、これを電波によるＩＤ情報としてアンテナ９から読み取り装置２０側へ出力（発信）する。読み取り装置２０がその電波によるＩＤ情報を受け取り、これを読み取り処理部（認識処理部）２４で認識する。その認識したＩＤデータは、送受信部１０１を介して周辺端末機器１００（例えば個体ＩＤ認識コンピュータ）に取り込まれ、ＣＰＵ１０２，ＲＡＭ１０３，ＲＯＭ１０４等によりデータ処理がなされる。
【００４６】
具体的には、取り込まれたＩＤデータは、製造管理、販売管理、在庫管理、商品履歴管理等のために、ＲＯＭ１０４に蓄積されたり、その蓄積されたデータに基づいて集計されたり、容器１内の特定商品の履歴の参照や仕分け等に利用されたりする。あるいは、それらのＩＤデータは、インターフェース１０５を介して、ディスプレイ１０６に表示出力されたり、プリンタ１０７に印刷出力されたりする。また、読み取り装置２０で読み取られたＩＤデータや周辺端末機器１００で集計処理されたＩＤデータは、インターネット等のネットワーク２００を経由してホストコンピュータ３００に集積され経営戦略、企業診断等にも活用できる。さらには、蓋２（及び容器１や容器１内の商品）の再使用（リユース）等のために、無線通信用薄片７（チップ８）のＩＤデータを更新したり、書き換えたりする際には、周辺端末機器１００や読み取り装置２０から、更新データ、書き換えデータ等を送信するようにしてもよい。
【００４７】
図１７及び図１８は、図１６に示す取付パッド３の変形例を表わす。すなわち、取付パッド３の外形形状は、蓋２の天井壁部２２の内面形状に合わせて、図１７のような楕円形状、図１８のような多角形状（例えば矩形状）等に変更できる。
【００４８】
（実施例２）
さらに、図１４は本発明に係る蓋付き容器の他の例を示し、殺虫スプレー・ヘアスプレーのような気体混合懸濁液（ゾル、ゲル）状の商品（被収容物；内容物）が金属製（例えばスチール製）の容器１に収容されている。一方、合成樹脂製（例えばポリプロピレン製）の蓋２は、容器１とは別体に構成され、基端側が容器１の肩部１２の外周面に外側から嵌合（係合）して係合・保持される円筒状の周壁部２１（係合部）と、周壁部２１の先端側を閉じて容器１の開口部１１（噴射口）を外側から覆う扁平円板状の天井壁部２２（被覆部）とが一体的に形成されている。つまり、蓋２は、周壁部２１が容器１の肩部１２に嵌合し、天井壁部２２が開口部１１を覆うことにより、容器１内の商品の出入りを閉鎖する。なお、蓋２の周壁部２１は、容器１の肩部１２に対する圧接や弾性変形・弾性復帰に伴う摩擦力によって、肩部１２に着脱可能に係合・保持されている。
【００４９】
そして、蓋２の天井壁部２２の内面（下面）に沿って、耐水性を有する材料製（例えば合成紙製）の蓋装着用ラミネート材３１（蓋装着用基材；以下単にラミネート材という）で無線通信用薄片７を覆った円形状の取付パッド３（取付部材）が装着されている（図１６参照）。この無線通信用薄片７は、可撓性を有しかつ薄片状をなし、容器１及びその容器１内の商品（内容物）の識別情報であるＩＤをそれぞれ記憶するとともに、無線式読取り装置２０（図１２参照）によってそのＩＤが読み取り可能とされている。具体的には、取付パッド３は、その下面（又は内側に保持された無線通信用薄片７の下面）と液面との距離Ｈが上方へ５ｍｍ以上（例えば１０ｍｍ）離れるようにして、天井壁部２２の内面に装着されている。さらに具体的には、取付パッド３の周縁部が、周壁部２１の内周面に沿って形成された凸部２１ｂで保持されて固定される。
【００５０】
図１５は図１４の蓋２に装着される取付パッド３の組立図である。図１５に示すように、取付パッド３を構成する短冊状のラミネート材３１は、その中央部に配置される無線通信用薄片７よりも大きな表面積を有し（図１６参照）、厚み方向の片面側（上面側）に形成された凹部３１ａに無線通信用薄片７が厚み方向で面一状態となるように収納される形態で、無線通信用薄片７と重ね合わせられる。さらに、ラミネート材３１の表面側（凹部３１ａ形成面とは反対側）に、撥水性を有する熱可塑性合成樹脂製（例えばポリエチレン製）の保護層３２が重ねられ、熱圧着により接合・一体化されている。そして、取付パッド３の装着状態にて凹部３１ａの形成面が天井壁部２２の内面に固着され、それによって、無線通信用薄片７は、天井壁部２２の内面とラミネート材３１の凹部３１ａ形成面とによって形成された内部空間に密封されている。
【００５１】
そこで、取付パッド３は、図１４に示すように、保護層３２が容器１内の商品に対向するように下向き配置され、保護層３２とは反対側のラミネート材３１が蓋２の天井壁部２２の内面（下面）側に位置するように装着される。具体的には、取付パッド３の周縁部が、周壁部２１に形成された凸部２１ｂで保持されて固定される。さらに、取付パッド３は、保護層３２とは反対側のラミネート材３１の表面に形成される接着剤層３３（図１５参照）によって蓋２の天井壁部２２の内面に接着・固定される。このように、取付パッド３が耐水性を有するラミネート材３１や撥水性を有する保護層３２で構成されているため、容器１（商品）の保管中、店頭展示中等において薄片７を浸水から保護することができる。また、取付パッド３は蓋２の天井壁部２２の内面に装着されるため、取付パッド３及び無線通信用薄片７を小型化できる。保護層３２は、図１５に示すようにラミネート材３１よりもやや大径のものが用いられ、その周縁部はラミネート材３１の外周面を覆うように曲げられて取付パッド３の耐水性を高めている。なお、図１５の符号３４は、接着剤層３３を被覆する剥離紙を表わす。
【００５２】
後述する実施例５（図２６）と同様に、リング状の取付パッド３（無線通信用薄片７）を蓋２の周壁部２１の内周面に沿って装着することもできる（図１４に仮想線で示す）。また、無線通信用薄片７、それを覆うシート２５、取付パッド３に形成されるリンクＩＤ表示部４０、容器１に形成される副リンクＩＤ表示部５０の構造等については、実施例１（図１〜図１３，図１６〜図１８）と同様である。
【００５３】
（実施例３）
図１９は本発明に係る蓋付き容器のさらに他の例を示し、図１４と同様に、殺虫スプレー・ヘアスプレーのような気体混合懸濁液（ゾル、ゲル）状の商品（被収容物；内容物）が金属製（例えばスチール製）の容器１に収容されている。一方、合成樹脂製（例えばポリプロピレン製）の蓋２は、容器１とは別体に構成され、円筒状の基端側が容器１の肩部１２の外周面に外側から嵌合（係合）して係合・保持されるとともに、先端側を連続的に縮径する形態で閉じて容器１の開口部１１（噴射口）を外側から覆うように一体成形されて、半球型ドーム状の閉鎖部２９に形成されている。つまり、蓋２は、閉鎖部２９の基端側が容器１の肩部１２に嵌合し、閉鎖部２９の先端側が開口部１１を覆うことにより、容器１内の商品の出入りを閉鎖する。なお、閉鎖部２９の基端側は、容器１の肩部１２に対する圧接や弾性変形・弾性復帰に伴う摩擦力によって、肩部１２に着脱可能に係合・保持されている。
【００５４】
そして、蓋２のドーム状の閉鎖部２９の内面（下面）に沿って、耐水性を有する材料製（例えば合成紙製）の蓋装着用ラミネート材３１（蓋装着用基材；以下単にラミネート材という）で無線通信用薄片７を覆った三日月形の取付パッド３（取付部材）が装着されている（図２０参照）。この無線通信用薄片７は、可撓性を有しかつ薄片状をなし、容器１及びその容器１内の商品（内容物）の識別情報であるＩＤをそれぞれ記憶するとともに、無線式読取り装置２０（図１２参照）によってそのＩＤが読み取り可能とされている。具体的には、取付パッド３は、その下面（又は内側に保持された無線通信用薄片７の下面）と液面との距離Ｈが上方へ５ｍｍ以上（例えば１０ｍｍ）離れるようにして、閉鎖部２９の内面に装着されている。
【００５５】
取付パッド３を構成する三日月形のラミネート材３１は、無線通信用薄片７よりも大きな表面積を有し（図２０参照）、無線通信用薄片７の表裏両側から積層状に重ねられる。さらに、一方のラミネート材３１の表面側に、撥水性を有する合成樹脂製（例えばポリエチレン製）の保護層３２が重ねられる。そして、これらの無線通信用薄片７、ラミネート材３１，３１、保護層３２を挟んで熱圧着することによって、弾力性（可撓性）と耐水性とを有する取付パッド３が得られる。すなわち、一対のラミネート材３１，３１の内面同士が無線通信用薄片７の周囲で熱圧着により接合・一体化されている。それによって、無線通信用薄片７は、外側を取り巻く一対のラミネート材３１，３１によって形成された内部空間に密封されている。
【００５６】
そこで、取付パッド３は、図１９に示すように、保護層３２が容器１内の商品に対向するように下向き配置され、保護層３２とは反対側のラミネート材３１の表面に形成される接着剤層３３によって蓋２の閉鎖部２９の内面（下面）側に接着・固定される。このように、取付パッド３が耐水性を有するラミネート材３１や撥水性を有する保護層３２で構成されているため、容器１（商品）の保管中、店頭展示中等において薄片７を浸水から保護することができる。また、取付パッド３は蓋２の閉鎖部２９の内面に装着されるため、無線通信用薄片７のアンテナ９（図５参照）を相対的に長くすることができ、電波の良好な送受信性能を維持しやすい。
【００５７】
なお、無線通信用薄片７、それを覆うシート２５、取付パッド３に形成されるリンクＩＤ表示部４０、容器１に形成される副リンクＩＤ表示部５０の構造等については、実施例１（図１〜図１３，図１６〜図１８）及び実施例２（図１４，図１５）と同様である。
【００５８】
（実施例４）
次に、図２１は本発明に係る蓋付き容器のさらに他の例を示し、練り歯磨き・洗顔料のような固液混合体（スラリー状）の商品（被収容物；内容物）が合成樹脂製（例えばポリエチレン製）の容器１に収容されている。一方、合成樹脂製（例えばポリプロピレン製）の蓋２は、連結部５を介して容器１と一体的に構成されるとともに、基端側が容器１の肩部１２の外周面に外側から嵌合（係合）して係合・保持される円筒状の周壁部２１（係合部）と、周壁部２１の先端側を閉じて容器１の開口部１１を外側から覆う扁平円板状の天井壁部２２（被覆部）とが一体的に形成されている。また、天井壁部２２の下面中央部には、蓋２を閉じたときに開口部１１の内側に挿入されて商品の漏れと乾燥を防止するために、円柱状の封鎖部２２ａが下向きに突出している。つまり、蓋２は、周壁部２１が容器１の肩部１２に嵌合し、封鎖部２２ａが開口部１１の内側に嵌入し、天井壁部２２が開口部１１を覆うことにより、容器１内の商品の出入りを閉鎖する。なお、蓋２の周壁部２１は、容器１の肩部１２に対する圧接や弾性変形・弾性復帰に伴う摩擦力によって、肩部１２に着脱可能に係合・保持されている。
【００５９】
そして、蓋２の天井壁部２２の内面（下面）に沿って、耐水性を有する材料製（例えば合成紙製）の蓋装着用ラミネート材３１（蓋装着用基材；以下単にラミネート材という）で無線通信用薄片７を覆った円環状の取付パッド３（取付部材）が装着されている（図２３参照）。蓋２に設けられた封鎖部２２ａは、取付パッド３の中央部に形成された円形状の貫通孔３ａに挿通されている。無線通信用薄片７は、可撓性を有しかつ薄片状をなし、容器１及びその容器１内の商品（内容物）の識別情報であるＩＤをそれぞれ記憶するとともに、無線式読取り装置２０（図１２参照）によってそのＩＤが読み取り可能とされている。具体的には、取付パッド３は、その下面（又は内側に保持された無線通信用薄片７の下面）と液面との距離Ｈが上方へ５ｍｍ以上（例えば１０ｍｍ）離れるようにして、天井壁部２２の内面に装着されている（図１４参照）。
【００６０】
図１を参照し、取付パッド３を構成する円環状のラミネート材３１は、中央の貫通孔３ａの周囲に配置される無線通信用薄片７よりも大きな表面積を有し（図２３参照）、無線通信用薄片７の表裏両側から積層状に重ねられる。さらに、一方のラミネート材３１の表面側に、撥水性を有する合成樹脂製（例えばポリエチレン製）の保護層３２が重ねられる。そして、これらの無線通信用薄片７、ラミネート材３１，３１、保護層３２を挟んで熱圧着することによって、弾力性（可撓性）と耐水性とを有する取付パッド３が得られる。すなわち、一対のラミネート材３１，３１の内面同士が無線通信用薄片７の周囲で熱圧着により接合・一体化されている。それによって、無線通信用薄片７は、外側を取り巻く一対のラミネート材３１，３１によって形成された内部空間に密封されている。
【００６１】
そこで、取付パッド３は、図２１に示すように、保護層３２が容器１内の商品に対向するように下向き配置され、保護層３２とは反対側のラミネート材３１（図１参照）が蓋２の天井壁部２２の内面（下面）側に位置するように装着される。具体的には、取付パッド３の周縁部が、周壁部２１の内周面に沿って形成された凸部２１ｂで保持されて固定される。このように、取付パッド３が耐水性を有するラミネート材３１や撥水性を有する保護層３２で構成されているため、容器１（商品）の保管中、店頭展示中等において薄片７を浸水から保護することができる。また、取付パッド３は蓋２の天井壁部２２の内面に装着されるため、取付パッド３及び無線通信用薄片７を小型化できる。
【００６２】
図２４及び図２５は、図２３に示す取付パッド３の変形例を表わす。すなわち、取付パッド３の外形形状や貫通孔３ａの孔形状は、蓋２の天井壁部２２の内面形状や封鎖部２２ａの断面形状に合わせて、図２４のような楕円形状、図２５のような多角形状（例えば矩形状）等に変更できる。
【００６３】
なお、無線通信用薄片７、それを覆うシート２５、取付パッド３に形成されるリンクＩＤ表示部４０、容器１に形成される副リンクＩＤ表示部５０の構造等については、実施例１（図１〜図１３，図１６〜図１８）、実施例２（図１４，図１５）及び実施例３（図１９・図２０）と同様である。ただし、副表示部５０は、容器１の外面に直接的に印刷、刻印、焼き付けその他の表示手法により表示されている。
【００６４】
（変形例）
さらに、図２２は実施例４（図２１，図２３〜図２５）の変形例を示し、図２１と同様に、練り歯磨き・洗顔料のような固液混合体（スラリー）状の商品（被収容物；内容物）が合成樹脂製（例えばポリエチレン製）の容器１に収容されている。一方、合成樹脂製（例えばポリプロピレン製）の蓋２は、容器１とは別体に構成され、基端側が容器１の肩部１２の外周面に外側から嵌合（係合）して係合・保持される円筒状の周壁部２１（係合部）と、周壁部２１の先端側を閉じて容器１の開口部１１（噴射口）を外側から覆う扁平円板状の天井壁部２２（被覆部）とが一体的に形成されている。また、天井壁部２２の下面中央部には、蓋２を閉じたときに開口部１１が内側に挿入されて商品の漏れと乾燥を防止するために、円筒状の封鎖部２２ｂが下向きに突出している。つまり、蓋２は、周壁部２１が容器１の肩部１２に嵌合し、封鎖部２２ｂが開口部１１の外側に嵌合し、天井壁部２２が開口部１１を覆うことにより、容器１内の商品の出入りを閉鎖する。なお、蓋２の周壁部２１は、容器１の肩部１２に対する圧接や弾性変形・弾性復帰に伴う摩擦力によって、肩部１２に着脱可能に係合・保持されている。
【００６５】
なお、取付パッド３、無線通信用薄片７、それを覆うシート２５、取付パッド３に形成されるリンクＩＤ表示部４０、容器１に形成される副リンクＩＤ表示部５０の構造等については、実施例４（図２１，図２３〜図２５）と同様である。
【００６６】
（実施例５）
次に、図２６は本発明に係る蓋付き容器のさらに他の例を示し、化粧品・薬品・食品・飲料水のような液体状の商品（被収容物；内容物）が合成樹脂製（例えばポリプロピレン製）の容器１に収容されている。一方、合成樹脂製（例えばポリプロピレン製）の蓋２は、容器１とは別体に構成され、基端側が容器１の開口部１１に外側から嵌合（係合）して係合・保持される円筒状の周壁部２１（係合部）と、周壁部２１の先端側を閉じて容器１の開口部１１を外側から覆う扁平円板状の天井壁部２２（被覆部）とが一体的に形成されている。つまり、蓋２は、周壁部２１が容器１の開口部１１に嵌合し、天井壁部２２が開口部１１を覆うことにより、容器１内の商品の出入りを閉鎖する。なお、蓋２の周壁部２１は、容器１の開口部１１に対する圧接や弾性変形・弾性復帰に伴う摩擦力によって、開口部１１に着脱可能に係合・保持されている。
【００６７】
そして、蓋２の周壁部２１の内周面に沿って、耐水性を有する材料製（例えば合成紙製）の蓋装着用ラミネート材３１（蓋装着用基材；以下単にラミネート材という）で無線通信用薄片７を覆ったリング状の取付パッド３（取付部材）が装着されている。この無線通信用薄片７は、可撓性を有しかつ薄片状をなし、容器１及びその容器１内の商品（内容物）の識別情報であるＩＤをそれぞれ記憶するとともに、無線式読取り装置２０（図１２参照）によってそのＩＤが読み取り可能とされている。具体的には、取付パッド３は、内側に保持された無線通信用薄片７の下端縁と液面との距離Ｈが上方へ５ｍｍ以上（例えば１０ｍｍ）離れるようにして、周壁部２１の内周面に接着（装着）されている。
【００６８】
取付パッド３を構成する短冊状のラミネート材３１は、無線通信用薄片７よりも大きな表面積を有し、無線通信用薄片７の表裏両側から積層状に重ねられる。さらに、一方のラミネート材３１の表面側に、撥水性を有する合成樹脂製（例えばポリエチレン製）の保護層３２が重ねられる。そして、これらの無線通信用薄片７、ラミネート材３１，３１、保護層３２を挟んで熱圧着することによって、弾力性（可撓性）と耐水性とを有する取付パッド３が得られる。すなわち、一対のラミネート材３１，３１の内面同士が無線通信用薄片７の周囲で熱圧着により接合・一体化されている。それによって、無線通信用薄片７は、外側を取り巻く一対のラミネート材３１，３１によって形成された内部空間に密封されている。
【００６９】
そこで、取付パッド３は、図２６に示すように、保護層３２が容器１内の商品に対向するように配置され、保護層３２とは反対側のラミネート材３１の表面に形成される接着剤層３３（図４参照）によって蓋２の周壁部２１の内周面に接着・固定される。このように、取付パッド３が耐水性を有するラミネート材３１や撥水性を有する保護層３２で構成されているため、容器１（商品）の保管中、店頭展示中等において薄片７を浸水から保護することができる。また、取付パッド３は蓋２の周壁部２１の内周面に装着されるため、無線通信用薄片７のアンテナ９（図５参照）を相対的に長くすることができ、電波の良好な送受信性能を維持しやすい。
【００７０】
なお、無線通信用薄片７、それを覆うシート２５、取付パッド３に形成されるリンクＩＤ表示部４０、容器１に形成される副リンクＩＤ表示部５０の構造等については、実施例１（図１〜図１３，図１６〜図１８）と同様である。
【００７１】
次に、図２７により、本発明に係るＩＤ管理個体の管理システムの一例を説明する。個体認識番号は、商品に初めてＲＦＩＤチップ（以下単にＲＦＩＤという）を装着する際に、その装着後の検品の際、あるいはＲＦＩＤの取り扱い企業がＲＦＩＤを初回装着用に出荷する際に割り当てられ、この段階で、商品個体−個体認識番号−ＲＦＩＤのチップＩＤの関連対応付け（紐付け：リンク）が形成される。
【００７２】
つまり、商品の認識・履歴の保持・継続のために、概念的には個体マスターとしての個体記憶手段、履歴テーブルとしての履歴記憶手段、商品マスターとしての商品記憶手段の各記憶体系が互いに接続されて、関連付けられている。より具体的には、個体にはＲＦＩＤのチップＩＤと個体認識番号とが二重に付与され、個体マスターにはその個体に関する個体認識番号（キー）が記憶される。キーの意味はこの個体認識番号の入力（参照）により、それに関係する個体データを閲覧等できるということである。
【００７３】
個体マスターには、特定の個体の個体認識番号と対応付けて、当該特定の個体のＲＦＩＤのチップＩＤ、商品コード、個体情報（製造会社名、製造年月日、製造番号、ロット番号、装着日（ＲＦＩＤの）、装着区分等）が記憶される。その商品コードは商品マスターと関連付け（対応付け）られ、商品マスターに対し、キーとして商品コードを付与（入力）すれば、当該商品コードの詳細、例えば、商品属性情報（商品名、商品品番、品記号、カテゴリー等）が閲覧・参照できる。
【００７４】
上記個体マスターは履歴テーブルと連携（接続）され、履歴テーブルには個体認識番号、タイムスタンプ（個体が認識された時期）が記憶され、これと関連付けて当該個体の状態も記憶され、上記個体認識番号とタイムスタンプをキーとして、その個体の状態、例えば状態関連情報として、入荷・出荷日、入荷・出荷先名、在庫情報等を認識・参照ないし閲覧ができる。
【００７５】
ここで履歴テーブルには、個体マスターと同様、個体認識番号とＲＦＩＤのチップＩＤをセットで記憶・格納することも可能であるが、この図２７に示すように、履歴テーブルはＲＦＩＤのチップＩＤではなく、個体認識番号で管理することができる。その場合、ＲＦＩＤのチップＩＤの情報は、履歴テーブルには記憶されておらず、個体認識番号によって各個体の履歴管理を行うので、チップＩＤ情報の流出による模倣商品の出現等を防止することができる。
【００７６】
つまり、個体におけるＩＤの自動認識（読み取り）はＲＦＩＤのチップＩＤで行うが、そのチップＩＤを読み込んだ後は、そのチップＩＤと予め対応付けて記憶されている個体認識番号を、商品個体（ＩＤ管理個体）の履歴管理に使用することができ、電子記憶に基づく複雑なチップＩＤより個体認識番号で管理する方が扱いが容易な点もある。また、商品への記載仕様は商品毎に異なるようにすることができる。
【００７７】
以上の説明において、図５では無線通信用薄片７が短冊状（長手状）をなしていたが、これはチップに外付けでアンテナを形成するアンテナ外付け型であること（アンテナをなるべく長くしたい）に影響されている。図８のように、アンテナがチップに内蔵されるアンテナ内蔵型で、一定のアンテナ性能が発揮できれば、薄片７を正方形、円形、その他適宜の形状に設定することができる。そして、薄片７をシート２５，３５，３６で覆う場合（図６，図７，図９〜図１１参照）は、その薄片７の形状に応じた被覆形態を実現すればよい。
【図面の簡単な説明】
【００７８】
【図１】本発明に係る蓋付き容器の一例を示す説明図。
【図２】図１の蓋に装着される取付パッドの組立図。
【図３】図２で組み立てられた取付パッドの斜視図。
【図４】図３のＡ−Ａ断面図。
【図５】図３の取付パッドに用いられる無線通信用薄片の一例を示す平面図。
【図６】図５の無線通信用薄片をシートで包んだ例を示す斜視図。
【図７】無線通信用薄片をシートで包む別の例を示す図。
【図８】図３の取付パッドに用いられる無線通信用薄片の他の例を示す平面図。
【図９】図８の無線通信用薄片をシートで覆う例を示す図。
【図１０】図９の変形例を示す図。
【図１１】図１０のさらに変形例を示す図。
【図１２】無線通信用薄片を用いたデータ処理システムの一例を示す説明図。
【図１３】図１２を概念的に示すブロック図。
【図１４】本発明に係る蓋付き容器の他の例を示す説明図。
【図１５】図１の蓋に装着される取付パッドの組立図。
【図１６】図１又は図１４の蓋に装着される取付パッドの正面図。
【図１７】図１６の取付パッドの変形例を示す正面図。
【図１８】図１６の取付パッドの他の変形例を示す正面図。
【図１９】本発明に係る蓋付き容器のさらに他の例を示す説明図。
【図２０】図１９の蓋に装着される取付パッドの正面図。
【図２１】本発明に係る蓋付き容器のさらに他の例を示す説明図。
【図２２】図２１の蓋付き容器の変形例を示す説明図。
【図２３】図２１又は図２２の蓋に装着される取付パッドの正面図。
【図２４】図２３の取付パッドの変形例を示す正面図。
【図２５】図２３の取付パッドの他の変形例を示す正面図。
【図２６】本発明に係る蓋付き容器のさらに他の例を示す説明図。
【図２７】本発明に係るＩＤ管理個体の管理システムの一例を概念的に示す図。
【図２８】無線通信用薄片に記憶されているＩＤデータとリンクＩＤ表示と副リンクＩＤ表示との関連性を説明する概念図。
【符号の説明】
【００７９】
１      容器
１１    開口部
１２    肩部
２      蓋
２１    周壁部（係合部）
２２    天井壁部（被覆部）
２９    閉鎖部（係合部；被覆部）
３      取付パッド（取付部材）
３１    ラミネート材（蓋装着用ラミネート材；蓋装着用基材）
３２    保護層
７      無線通信用薄片
８      チップ（ＩＣチップ）
９      アンテナ
２０    無線式読取り装置（ＩＤ認識装置）
２５，３５，３６    シート
４０    リンクＩＤ表示部
４１    リンクＩＤ
５０    副リンクＩＤ表示部
５１    副リンクＩＤ
【図１】
2006240673.tif 000003
【図２】
2006240673.tif 000004
【図３】
2006240673.tif 000005
【図４】
2006240673.tif 000006
【図５】
2006240673.tif 000007
【図６】
2006240673.tif 000008
【図７】
2006240673.tif 000009
【図８】
2006240673.tif 000010
【図９】
2006240673.tif 000011
【図１０】
2006240673.tif 000012
【図１１】
2006240673.tif 000013
【図１２】
2006240673.tif 000014
【図１３】
2006240673.tif 000015
【図１４】
2006240673.tif 000016
【図１５】
2006240673.tif 000017
【図１６】
2006240673.tif 000018
【図１７】
2006240673.tif 000019
【図１８】
2006240673.tif 000020
【図１９】
2006240673.tif 000021
【図２０】
2006240673.tif 000022
【図２１】
2006240673.tif 000023
【図２２】
2006240673.tif 000024
【図２３】
2006240673.tif 000025
【図２４】
2006240673.tif 000026
【図２５】
2006240673.tif 000027
【図２６】
2006240673.tif 000028
【図２７】
2006240673.tif 000029
【図２８】
2006240673.tif 000030
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
被収容物を収容する容器の開口部又は肩部に直接又は他部材を介して間接的に係合する係合部と、前記容器の開口部を外側から覆う被覆部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置してその対向側を塞ぎ、対向側とは反対側に形成された凹部の内部空間に前記無線通信用薄片を変位可能に収納して、その内部空間の外側を取り巻く前記蓋装着用ラミネート材で密封する形態で、前記被覆部又は係合部の内面に装着されていることを特徴とする容器の蓋。
【請求項２】
前記取付部材を構成する蓋装着用ラミネート材は、厚み方向の片面側に形成された凹部に前記無線通信用薄片が厚み方向で面一状態となるように収納される形態で、その無線通信用薄片と重ね合わせられるとともに、前記取付部材の装着状態にて前記凹部の形成面が前記被覆部又は係合部の内面に固着され、
前記無線通信用薄片は、前記被覆部又は係合部の内面と前記蓋装着用ラミネート材の凹部形成面とによって形成された内部空間に密封されている請求項１に記載の容器の蓋。
【請求項３】
液体、気体、固液混合体等の流体を被収容物として収容する容器の開口部又は肩部に直接又は他部材を介して間接的に基端側が係合する筒状の係合部である周壁部と、その周壁部の先端側を閉じて前記容器の開口部を外側から覆う被覆部である天井壁部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置してその対向側を塞ぎ、対向側とは反対側に形成された凹部の内部空間に前記無線通信用薄片を変位可能に収納して、その内部空間の外側を取り巻く前記蓋装着用ラミネート材で密封する形態で、前記天井壁部の内面又は前記周壁部の内周面に装着されていることを特徴とする容器の蓋。
【請求項４】
前記取付部材は、前記無線通信用薄片が前記被収容物の液面から上方へ５ｍｍ以上離間する形で、前記天井壁部の内面又は前記周壁部の内周面に装着されている請求項３に記載の容器の蓋。
【請求項５】
前記取付部材を構成する蓋装着用ラミネート材は、前記無線通信用薄片よりも大きな表面積を有する形態で、その無線通信用薄片の厚さ方向の両面側から積層状に重ねられるとともに、その一対の蓋装着用ラミネート材の内面同士がその無線通信用薄片の周囲で接合・一体化され、
前記無線通信用薄片は、外側を取り巻く前記一対の蓋装着用ラミネート材によって形成された内部空間に密封されている請求項３又は４に記載の容器の蓋。
【請求項６】
前記係合部と被覆部とは、筒状の前記係合部の先端側に前記被覆部が連続的に縮径する形態で一体成形されることによって半球型ドーム状の閉鎖部に形成され、
前記取付部材は、その半球型ドーム状の閉鎖部の内面に装着されている請求項１ないし５のいずれか１項に記載の容器の蓋。
【請求項７】
前記取付部材には、装着状態で前記容器内の被収容物に対向する表面上に、撥水性を有する保護層が形成されている請求項１ないし６のいずれか１項に記載の容器の蓋。
【請求項８】
前記無線通信用薄片は、前記取付部材の内部空間に、可撓性、耐水性及び電気的な絶縁性を備えたシートに包まれる等して覆われた状態で挟持されるとともに、その挟持状態において前記シートの内部で前記無線通信用薄片が該シートに対して変位可能に保持されている請求項２又は５に記載の容器の蓋。
【請求項９】
前記取付部材には、前記無線通信用薄片が記憶しているＩＤと対応付けた数字・文字・記号・符号又はそれらの組合せ等のリンクＩＤを表したリンクＩＤ表示部が形成されている請求項１ないし８のいずれか１項に記載の容器の蓋。
【請求項１０】
前記取付部材のリンクＩＤ表示部に表示されたリンクＩＤは、前記容器に直接又は他部材により間接的に形成された副リンクＩＤ表示部にバーコード表示等された副リンクＩＤと関連付けて表わされ、
前記無線通信用薄片に記憶されたＩＤが消失し、かつ前記副リンクＩＤ表示部の副リンクＩＤが読み取り不能となっても、リンクＩＤ表示部に表示されたリンクＩＤを視認可能とされている請求項９に記載の容器の蓋。
【請求項１１】
請求項１ないし１０のいずれか１項に記載の蓋が、前記容器の開口部又は肩部に直接又は他部材を介して間接的に係合しかつその容器の開口部を外側から覆うことによって前記被収容物の出入りを閉鎖するために、前記容器とは別体に、又はその容器と一体的に備えられていることを特徴とする蓋付き容器。
【手続補正２】
【補正対象書類名】明細書
【補正対象項目名】０００６
【補正方法】変更
【補正の内容】
【０００６】
上記課題を解決するために、本発明に係る容器の蓋は、
被収容物を収容する容器の開口部又は肩部に直接又は他部材を介して間接的に係合する係合部と、前記容器の開口部を外側から覆う被覆部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置してその対向側を塞ぎ、対向側とは反対側に形成された凹部の内部空間に前記無線通信用薄片を変位可能に収納して、その内部空間の外側を取り巻く前記蓋装着用ラミネート材で密封する形態で、前記被覆部又は係合部の内面に装着されていることを特徴とする。
【手続補正３】
【補正対象書類名】明細書
【補正対象項目名】００１１
【補正方法】変更
【補正の内容】
【００１１】
また、上記課題を解決するために、本発明に係る容器の蓋は、
液体、気体、固液混合体等の流体を被収容物として収容する容器の開口部又は肩部に直接又は他部材を介して間接的に基端側が係合する筒状の係合部である周壁部と、その周壁部の先端側を閉じて前記容器の開口部を外側から覆う被覆部である天井壁部とが一体的に形成され、前記被収容物の出入りを閉鎖する蓋であって、
可撓性を有しかつ薄片状をなして前記被収容物及び／又は容器の識別情報であるＩＤを記憶するとともに、無線式読取り装置によってそのＩＤが読み取り可能とされた無線通信用薄片を備え、
その無線通信用薄片の厚み方向の両面又は片面が耐水性を有する蓋装着用ラミネート材で覆われて取付部材を構成し、その取付部材は、少なくとも前記容器内の被収容物に対向する側に前記蓋装着用ラミネート材が位置してその対向側を塞ぎ、対向側とは反対側に形成された凹部の内部空間に前記無線通信用薄片を変位可能に収納して、その内部空間の外側を取り巻く前記蓋装着用ラミネート材で密封する形態で、前記天井壁部の内面又は前記周壁部の内周面に装着されていることを特徴とする。